(57)【要約】直角に交わる第１、第２の鏡面１１、１２と、第１、第２の鏡面１１、１２に直交する第３、第４の鏡面１３、１４とを有する単位光学ブロック１５を並べて配置し、第１、第２の鏡面１１、１２は各単位光学ブロック１５の底部に、第３、第４の鏡面１３、１４は、各単位光学ブロック１５の側面に形成され、所定方向から単位光学ブロック１５に入った入射光は、第１、第２の鏡面１１、１２、第３又は第４の鏡面１３、１４を介して入射光と平行な反射光となる再帰性反射体２６と、これにハーフミラー３５を組み合わせた立体像表示装置３４。
2015181994.tif 000002
【特許請求の範囲】
【請求項１】
直角に交わる第１、第２の鏡面と、前記第１、第２の鏡面に直交する第３、第４の鏡面とを有する透明の単位光学ブロックが面状に並べて配置されたことを特徴とする再帰性反射体。
【請求項２】
請求項１記載の再帰性反射体において、前記第１、第２の鏡面は前記単位光学ブロックの底部に、前記第３、第４の鏡面は前記単位光学ブロックの側面に、それぞれ形成されていることを特徴とする再帰性反射体。
【請求項３】
請求項１又は２記載の再帰性反射体において、前記第３、第４の鏡面の間隔は、前記第１、第２の鏡面の幅を合計した長さの０．５〜３倍の範囲にあることを特徴とする再帰性反射体。
【請求項４】
請求項１〜３のいずれか１記載の再帰性反射体において、複数の前記単位光学ブロックを直線状に並べて長尺の光学ブロック体が形成され、同一形状の前記光学ブロック体が平行に並べて配置されていることを特徴とする再帰性反射体。
【請求項５】
請求項１〜４のいずれか１記載の再帰性反射体において、前記各単位光学ブロックの天井面の向きを揃えて、該各単位光学ブロックが平面状に並べて配置されていることを特徴とする再帰性反射体。
【請求項６】
請求項１〜５のいずれか１記載の平面状の再帰性反射体と、該再帰性反射体の上に立設して配置されるハーフミラーとを有することを特徴とする立体像表示装置。
【発明の詳細な説明】
【技術分野】
【０００１】
本発明は入射光と反射光が略同一の経路を通過する再帰性反射体及びこれを用いた立体像表示装置に関する。
【背景技術】
【０００２】
透明球体や３面コーナーキューブを用いた再帰性反射体は、入射光と反射光の方向が略一致するので、交通標識や画像投影装置（特許文献１、２参照）等に応用されている。そして、透明球体を用いる場合より、３面コーナーキューブを用いた再帰性反射体の方がより強い反射光を得ることが知られている。
【先行技術文献】
【特許文献】
【０００３】
【特許文献１】特開２００４−４５４８７号公報
【特許文献２】特開２０１０−７２５０４号公報
【発明の概要】
【発明が解決しようとする課題】
【０００４】
しかしながら、３面コーナーキューブは立方体の角を切り出した形状をしているので、微小の３面コーナーキューブを多数均一に並べて再帰性反射体を形成することは難しいという問題があった。【０００５】
本発明はかかる事情に鑑みてなされたもので、比較的製造を容易になし得る再帰性反射体及びこれを用いた立体像表示装置を提供することを目的とする。
【課題を解決するための手段】
【０００６】
前記目的に沿う第１の発明に係る再帰性反射体は、直角に交わる第１、第２の鏡面と、前記第１、第２の鏡面に直交する第３、第４の鏡面とを有する透明の単位光学ブロックが面状に並べて配置されている。ここで、単位光学ブロックの素材は中空でもよいが、透明ガラス、透明プラスチックを用いるのが好ましい。なお、第１〜第４の鏡面は通常は、金属をめっき又は蒸着することによって形成する。また、単位光学ブロックの非鏡面となった一面（天井面）は入光面と出光面を兼用している。一面から入った光線が、第１、第２の鏡面及び第３又は第４の鏡面で反射して一面から出る。【０００７】
第２の発明に係る再帰性反射体は、第１の発明に係る再帰性反射体において、前記第１、第２の鏡面は前記単位光学ブロックの底部に、前記第３、第４の鏡面は前記単位光学ブロックの側面に、それぞれ形成されている。【０００８】
第３の発明に係る再帰性反射体は、第１、第２の発明に係る再帰性反射体において、前記第３、第４の鏡面の間隔は、前記第１、第２の鏡面の幅を合計した長さの０．５〜３倍の範囲にある。ここで、第３、第４の鏡面の間隔が第１、第２の鏡面の幅の合計より小さいと、第３、第４の鏡面の有効面積が減り、大きくても第３、第４の鏡面の有効面積が減る。【０００９】
第４の発明に係る再帰性反射体は、第１〜第３の発明に係る再帰性反射体において、複数の前記単位光学ブロックを直線状に並べて長尺の光学ブロック体を形成している。そして、同一形状の前記光学ブロック体が平行に並べて配置されて、面状の再帰性反射体を構成している。ここで、長尺の光学ブロック体は隙間を設けて並べて配置してもよいし、密接して並べて配置してもよい。また、隣り合う光学ブロック体は、１）山部と谷部の位置をそれぞれ一致させて並べてもよいし、２）山部と谷部をずらしてもよい。また、隣り合う光学ブロック体を近接又は当接させて配置してもよい。【００１０】
第５の発明に係る再帰性反射体は、第１〜第４の発明に係る再帰性反射体において、前記各単位光学ブロックの天井面の向きを揃えて、該各単位光学ブロックが平面状に並べて配置されている。【００１１】
そして、第６の発明に係る立体像表示装置は、第１〜第５の発明に係る平面状の再帰性反射体と、該再帰性反射体の上に立設して配置されるハーフミラーとを有する。
ここで、ハーフミラーの端部は再帰性反射体に接していてもよいし、隙間を有していてもよい。また、平面状の再帰性反射体とハーフミラーの角度は直角であるのが好ましいが、傾斜（例えば、傾斜角度θ：６０度以上９０度未満）していてもよい。
【発明の効果】
【００１２】
第１〜第５の発明に係る再帰性反射体は、直角に交わる第１、第２の鏡面と、第１、第２の鏡面に直交する第３、第４の鏡面とを有する透明の単位光学ブロックが並べて形成されているので、従来のコーナーキューブより構造が簡単であり、任意のサイズの単位光学ブロックを廉価に製造できる。
特に、複数の単位光学ブロックを直線状に並べて形成した長尺の光学ブロック体を用いることにより、更に簡単にかつ安価に再帰性反射体を製造できる。
また、第６の発明に係る立体像表示装置は、第１〜第５の発明に係る再帰性反射体と、ハーフミラーとを組み合わせることによって形成でき、しかも、簡単かつ安価に製造できる。
【図面の簡単な説明】
【００１３】
【図１】（Ａ）は本発明の第１の実施例に係る再帰性反射体の単位光学ブロックの正面図、（Ｂ）は同側面図である。
【図２】（Ａ）は本発明の第２の実施例に係る再帰性反射体の光学ブロック体の斜視図、（Ｂ）は同再帰性反射体の正面図、（Ｃ）は同再帰性反射体の側面図である。
【図３】（Ａ）は本発明の第２の実施例の変形例に係る再帰性反射体の正面図、（Ｂ）は同再帰性反射体の平面図である。
【図４】（Ａ）は本発明の第３の実施例に係る再帰性反射体の光学ブロック体の正面図、（Ｂ）は同再帰性反射体の側面図である。
【図５】本発明の一実施例に係る立体像表示装置の説明図であり、（Ａ）は全体図、（Ｂ）、（Ｃ）はそれぞれ（Ａ）のａ部の拡大説明図である。
【発明を実施するための形態】
【００１４】
続いて、添付した図面を参照しながら、本発明を具体化した実施例について説明する。
図１（Ａ）、（Ｂ）に示すように、本発明の第１の実施例に係る再帰性反射体１０は面状（例えば、平面状）に並べられた多数（例えば１０００〜５００００）の単位光学ブロック１５からなっている。各単位光学ブロック１５は、底部に直角に連結配置された第１、第２の鏡面１１、１２を、正面側と背面側の側面に、第１、第２の鏡面１１、１２に直交する第３、第４の鏡面１３、１４を有する透明体からなる。
【００１５】
図１（Ａ）、（Ｂ）には、一つの単位光学ブロック１５を示しているが、再帰性反射体１０として使用する場合は、多数の単位光学ブロック１５を縦横に並べて配置する。この場合、各単位光学ブロック１５が、平面視して同一寸法形状の正方形又は長方形とすると、各単位ブロックを隙間なく配置でき、より精密な再帰性反射体１０を形成できる。
通常、多数の単位光学ブロック１５を平面状に並べるのが好ましいが、変形可能な布地や曲面の上に配置することもできる。各単位光学ブロック１５は、中空で、第１〜第４の鏡面１１〜１４が単に鏡からなっていてもよいし、塊状の単位光学ブロック１５の素材を透明ガラス、透明プラスチック（例えば、アクリル、ポリカーボネイト、ナイロン、ポリプロピレン、シクロオレフィン系樹脂等）とし、第１〜第４の鏡面１１〜１４を金属蒸着によって形成してもよい。
【００１６】
単位光学ブロック１５の縦幅（即ち、第３、第４の鏡面１３、１４の間隔）Ｌは、第１、第２の鏡面１１、１２の幅Ｗ１、Ｗ２を合計した長さの例えば０．５〜３倍（１〜２倍がより好ましい）とするのが好ましい。単位光学ブロック１５の縦幅Ｌが長過ぎると、３回反射が起こらず反射光が散乱し易い。また、単位光学ブロック１５の縦幅Ｌが短いと、第３、第４の鏡面１３、１４で多重反射が起こり、反射光の散乱を招く。また、単位光学ブロック１５の高さＨ（第１、第２の鏡面１１、１２の山部から天井面２０ａまでの垂直距離）は、例えば（０．７０７〜３）×Ｗ１の範囲で設定するのが好ましい（以下の実施の形態においても同じ）。
【００１７】
この再帰性反射体１０の動作に関して、図１（Ａ）、（Ｂ）に示す一つの単位光学ブロック１５について説明すると、矢視する入射光Ａは、第１、第２の鏡面１１、１２の点Ｂ、Ｃで反射し、第４の鏡面１４の点Ｄで反射して、入射光Ａと同じ方向に反射（反射光Ｅ）する。なお、単位光学ブロック１５の寸法（サイズ）を大きくすると、入射光と反射光の位置がずれて元位置には光が帰らない。そこで、個々の単位光学ブロック１５の寸法を小さくして（例えば、Ｌ＝０．５〜３ｍｍとして）、多数の単位光学ブロック１５を並べて配置するのがよい。
【００１８】
続いて、図２（Ａ）〜（Ｃ）を参照しながら、本発明の第２の実施例に係る再帰性反射体１８について説明する。なお、第１の実施例に係る再帰性反射体１０と同一の構成要素については、同一の番号を付して詳しい説明を省略する。第２の実施例に係る再帰性反射体１８は、単位光学ブロック１５（図２（Ａ）にその一つを二点鎖線で示す）を横方向に複数連結して一体化した長尺かつ直線状の光学ブロック体１９を平行に並べて形成されている。従って、光学ブロック体１９の底部には、直角に配置された第１、第２の鏡面１１、１２が連続して三角波状に形成され、側面には第１、第２の鏡面１１、１２と、直交する第３、第４の鏡面１３、１４が形成されている。第３、第４の鏡面１３、１４は平行となって、長尺の光学ブロック体１９の両側面に形成されている。また、各単位光学ブロック１５は天井面２０ａ（図１参照）の向きを揃えて、各単位光学ブロック１５は平面状に並べて配置されている（以下の実施例においても同じ）。
【００１９】
光学ブロック体１９の基材の材質は透明度の高いガラス又は透明樹脂により構成される。基材の製造にあっては、ガラス又は透明樹脂からなる平板をプレス成形、ローラ成形によって、又は透明樹脂を射出成形して平板状の原板材を製造する。この原板材は一面が平面状となって、他面は最終的には第１、第２の鏡面１１、１２を波状に形成する凹凸面となっている。この原板材を所定寸法（Ｌ）で切断し、切断端面は必要に応じて研磨して基材を製造する。この基材の一面（天井面２０）を剥離可能な蒸着防止シートで覆い、金属蒸着を行い、第１〜第４の鏡面１１〜１４を形成する。この後、蒸着防止シートを剥がして、必要な場合は洗浄を行い、長尺の光学ブロック体１９を製造する。
【００２０】
再帰性反射体１８を構成する場合は、前述のように、同一形状の光学ブロック体１９を平行に並べて形成するが、光学ブロック体１９を並べて配置する際には、隣り合う光学ブロック体１９の底部に形成されている谷部２１と山部２２とをそれぞれ一致させる場合と、隣り合う光学ブロック体１９の谷部２１、及び山部２２同士を一致させない場合（即ち、谷部２１と山部２２をずらす場合）とがある。再帰性反射体１８は、この長尺の光学ブロック体１９を当接して、又は近接して並列に並べて使用する。従って、安価に再帰性反射体１８を製造することができる。
【００２１】
なお、第１、第２の実施例に係る再帰性反射体１０、１８において、底部には凹凸が形成されているが、第１、第２の鏡面１１、１２が形成された連続する谷部２１に透明又は不透明の樹脂２４を充填し、底部を平面とすることもできる。図３（Ａ）、（Ｂ）には、底部に形成された谷部２１に樹脂２４が充填され、更に天井面２０及び底面２５が平面状に加工された再帰性反射体２６を示す。これによって、再帰性反射体２６の第１、第２の鏡面１１、１２が欠けたり、疵が付くことが無くなる。
【００２２】
続いて、図４（Ａ）、（Ｂ）に示すように本発明の第３の実施例に係る再帰性反射体２８について説明する。再帰性反射体２８を構成する長尺の光学ブロック体２９が傾斜状態（傾斜角θ）で並べて配置されている。このような、再帰性反射体２８は、光学ブロック体２９を傾斜台３０に載せて固定することによって形成される。この場合、隣り合う光学ブロック体２９は側面が当接する必要はない。これによって、よりキュービックコーナー体（３面コーナーキューブ）に近くなる。また、プレス又はインジェクション成形によって、隣り合う載置台３０は連続して形成することもできる。光学ブロック体２９の天井面（上面）３２は透明となって入光面及び出光面を形成する。
【００２３】
次に、図５（Ａ）〜（Ｃ）を参照しながら、以上の再帰性反射体２６（１０、１８においても同様）を使用した本発明の一実施例に係る立体像表示装置３４について説明する。
平面状の再帰性反射体２６の上部に平面状のハーフミラー３５を立設する。再帰性反射体２６はこの実施例では矩形（横幅ｇ、奥行きｆ）となって、ハーフミラー３５の幅は再帰性反射体２６の奥行きｆと同一程度となって、高さは例えば、再帰性反射体２６の横幅ｇの０．５〜１倍程度となっている。
【００２４】
図５（Ｂ）に示すように、再帰性反射体２６を構成する長尺の各光学ブロック体１９が奥行き方向（即ち、図５において紙面に直交する方向）に向いて、第３、第４のミラー１３、１４が横方向に並んで配置されている。ここで、図５（Ｃ）に示すように、各光学ブロック体１９が横方向に向いて、第３、第４のミラー１３、１４が奥行き方向に向いてもよい。
また、再帰性反射体２６を構成し、平行に並べて配置された光学ブロック体１９の向きを、平面視して、ハーフミラー３５に対して斜めに配置してもよい。
【００２５】
立体像表示装置３４の動作について説明すると、自ら光又は反射光を発する対象物Ｐを立体像表示装置３４に対して特定場所に配置すると、対象物Ｐからの光線はハーフミラー３５を通過し、再帰性反射体２６に斜め方向から天井面２０を通って光学ブロック体１９に入光する。光学ブロック体１９に入光した光線は、それぞれ直角に配置された第１、第２の鏡面１１、１２と第３又は第４の鏡面１３、１４で反射して、天井面２０から反射光として出光する。この経路は、光学ブロック体１９に入光した光の経路と略同一である。天井面２０からの反射光は、ハーフミラー３５で反射して、実像Ｑを形成する。
【００２６】
なお、ハーフミラー３５を通過した後、天井面２０から入光しても、それぞれ直角となった鏡面に３回反射しなかった光は、仮にハーフミラー３５では反射したとしても、結像に寄与しないので、散乱光となる。
また、平面視して直線状のハーフミラー３５に対する各光学ブロック体１９の向きは、結像する実像Ｑが最大輝度になるように、予め実験して決めるのがよい。また、ハーフミラー３５の立設角度が変わると、結像位置や明るさも変わるので、最適な角度に調整するのが好ましい。
更に、光学ブロック体１９の各単位光学ブロック１５の寸法が再生される画像の解像度を決定するので、より数が多く、細かい方が鮮明な実像が得られる。
【００２７】
本発明は前記した実施例に限定されるものではなく、本発明の要旨を変更しない範囲でその構成を変更することもできる。
更に、第１〜第３の実施例に係る再帰性反射体の一部の構成要素を選んで、別形状の再帰性反射体を形成する場合も、本発明は適用される。
【産業上の利用可能性】
【００２８】
本発明に係る再帰性反射体は構造が簡単であるので、従来の３面コーナーキューブに比較して安価に製造できる。また、用途に応じて第１〜第４の鏡面のサイズを決定すれば、任意の大きさのピクセルを有する立体像表示装置を形成できる。
【符号の説明】
【００２９】
１０：再帰性反射体、１１：第１の鏡面、１２：第２の鏡面、１３：第３の鏡面、１４：第４の鏡面、１５：単位光学ブロック、１８：再帰性反射体、１９：光学ブロック体、２０、２０ａ：天井面、２１：谷部、２２：山部、２４：樹脂、２５：底面、２６：再帰性反射体、２８：再帰性反射体、２９：光学ブロック体、３０：傾斜台、３２：天井面、３４：立体像表示装置、３５：ハーフミラー
【図１】
2015181994.tif 000003
【図２】
2015181994.tif 000004
【図３】
2015181994.tif 000005
【図４】
2015181994.tif 000006
【図５】
2015181994.tif 000007
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
透明な単位光学ブロックの底部に直角に交わる第１、第２の鏡面を、前記単位光学ブロックの前後側面に前記第１、第２の鏡面に直交する第３、第４の鏡面を有し、天井面が平面となった前記単位光学ブロックが面状に並べて配置された再帰性反射体であって、前記各単位光学ブロックの天井面は、向きを揃えて傾斜配置されていることを特徴とする再帰性反射体。
【請求項２】
請求項１記載の再帰性反射体において、前記第３、第４の鏡面の間隔は、前記第１、第２の鏡面の幅を合計した長さの０．５〜３倍の範囲にあることを特徴とする再帰性反射体。
【請求項３】
請求項１又は２記載の再帰性反射体において、複数の前記単位光学ブロックを直線状に並べて長尺の光学ブロック体が形成され、同一形状の前記光学ブロック体が平行に並べて配置されていることを特徴とする再帰性反射体。
【請求項４】
請求項１〜３のいずれか１記載の平面状の再帰性反射体と、該再帰性反射体の上に立設して配置されるハーフミラーとを有することを特徴とする立体像表示装置。
【手続補正２】
【補正対象書類名】明細書
【補正対象項目名】全文
【補正方法】変更
【補正の内容】
【発明の詳細な説明】
【技術分野】
【０００１】
本発明は入射光と反射光が略同一の経路を通過する再帰性反射体及びこれを用いた立体像表示装置に関する。
【背景技術】
【０００２】
透明球体や３面コーナーキューブを用いた再帰性反射体は、入射光と反射光の方向が略一致するので、交通標識や画像投影装置（特許文献１、２参照）等に応用されている。そして、透明球体を用いる場合より、３面コーナーキューブを用いた再帰性反射体の方がより強い反射光を得ることが知られている。
【先行技術文献】
【特許文献】
【０００３】
【特許文献１】特開２００４−４５４８７号公報
【特許文献２】特開２０１０−７２５０４号公報
【発明の概要】
【発明が解決しようとする課題】
【０００４】
しかしながら、３面コーナーキューブは立方体の角を切り出した形状をしているので、微小の３面コーナーキューブを多数均一に並べて再帰性反射体を形成することは難しいという問題があった。
【０００５】
本発明はかかる事情に鑑みてなされたもので、比較的製造を容易になし得る再帰性反射体及びこれを用いた立体像表示装置を提供することを目的とする。
【課題を解決するための手段】
【０００６】
前記目的に沿う第１の発明に係る再帰性反射体は、透明な単位光学ブロックの底部に直角に交わる第１、第２の鏡面を、前記単位光学ブロックの前後側面に前記第１、第２の鏡面に直交する第３、第４の鏡面を有し、天井面が平面となった前記単位光学ブロックが面状に並べて配置された再帰性反射体であって、前記各単位光学ブロックの天井面は、向きを揃えて傾斜配置されている。
ここで、単位光学ブロックの素材は中空でもよいが、透明ガラス、透明プラスチックを用いるのが好ましい。なお、第１〜第４の鏡面は通常は、金属をめっき又は蒸着することによって形成する。また、単位光学ブロックの非鏡面となった一面（天井面）は入光面と出光面を兼用している。一面から入った光線が、第１、第２の鏡面及び第３又は第４の鏡面で反射して一面から出る。
【０００７】
【０００８】
第２の発明に係る再帰性反射体は、第１の発明に係る再帰性反射体において、前記第３、第４の鏡面の間隔は、前記第１、第２の鏡面の幅を合計した長さの０．５〜３倍の範囲にある。ここで、第３、第４の鏡面の間隔が第１、第２の鏡面の幅の合計より小さいと、第３、第４の鏡面の有効面積が減り、大きくても第３、第４の鏡面の有効面積が減る。
【０００９】
第３の発明に係る再帰性反射体は、第１、第２の発明に係る再帰性反射体において、複数の前記単位光学ブロックを直線状に並べて長尺の光学ブロック体を形成している。そして、同一形状の前記光学ブロック体が平行に並べて配置されて、面状の再帰性反射体を構成している。ここで、長尺の光学ブロック体は隙間を設けて並べて配置してもよいし、密接して並べて配置してもよい。また、隣り合う光学ブロック体は、１）山部と谷部の位置をそれぞれ一致させて並べてもよいし、２）山部と谷部をずらしてもよい。また、隣り合う光学ブロック体を近接又は当接させて配置してもよい。
【００１０】
【００１１】
そして、第４の発明に係る立体像表示装置は、第１〜第３の発明に係る平面状の再帰性反射体と、該再帰性反射体の上に立設して配置されるハーフミラーとを有する。
ここで、ハーフミラーの端部は再帰性反射体に接していてもよいし、隙間を有していてもよい。また、平面状の再帰性反射体とハーフミラーの角度は直角であるのが好ましいが、傾斜（例えば、傾斜角度θ：６０度以上９０度未満）していてもよい。
【発明の効果】
【００１２】
第１〜第３の発明に係る再帰性反射体は、直角に交わる第１、第２の鏡面と、第１、第２の鏡面に直交する第３、第４の鏡面とを有する透明の単位光学ブロックが並べて形成されているので、従来のコーナーキューブより構造が簡単であり、任意のサイズの単位光学ブロックを廉価に製造できる。
特に、複数の単位光学ブロックを直線状に並べて形成した長尺の光学ブロック体を用いることにより、更に簡単にかつ安価に再帰性反射体を製造できる。
また、第４の発明に係る立体像表示装置は、第１〜第３の発明に係る再帰性反射体と、ハーフミラーとを組み合わせることによって形成でき、しかも、簡単かつ安価に製造できる。
【図面の簡単な説明】
【００１３】
【図１】（Ａ）は本発明の第１の実施例に係る再帰性反射体の単位光学ブロックの正面図、（Ｂ）は同側面図である。
【図２】（Ａ）は本発明の第２の実施例に係る再帰性反射体の光学ブロック体の斜視図、（Ｂ）は同再帰性反射体の正面図、（Ｃ）は同再帰性反射体の側面図である。
【図３】（Ａ）は本発明の第２の実施例の変形例に係る再帰性反射体の正面図、（Ｂ）は同再帰性反射体の平面図である。
【図４】（Ａ）は本発明の第３の実施例に係る再帰性反射体の光学ブロック体の正面図、（Ｂ）は同再帰性反射体の側面図である。
【図５】本発明の一実施例に係る立体像表示装置の説明図であり、（Ａ）は全体図、（Ｂ）、（Ｃ）はそれぞれ（Ａ）のａ部の拡大説明図である。
【発明を実施するための形態】
【００１４】
続いて、添付した図面を参照しながら、本発明を具体化した実施例について説明する。
図１（Ａ）、（Ｂ）に示すように、本発明の第１の実施例に係る再帰性反射体１０は面状（例えば、平面状）に並べられた多数（例えば１０００〜５００００）の単位光学ブロック１５からなっている。各単位光学ブロック１５は、底部に直角に連結配置された第１、第２の鏡面１１、１２を、正面側と背面側の側面に、第１、第２の鏡面１１、１２に直交する第３、第４の鏡面１３、１４を有する透明体からなる。
【００１５】
図１（Ａ）、（Ｂ）には、一つの単位光学ブロック１５を示しているが、再帰性反射体１０として使用する場合は、多数の単位光学ブロック１５を縦横に並べて配置する。この場合、各単位光学ブロック１５が、平面視して同一寸法形状の正方形又は長方形とすると、各単位ブロックを隙間なく配置でき、より精密な再帰性反射体１０を形成できる。
通常、多数の単位光学ブロック１５を平面状に並べるのが好ましいが、変形可能な布地や曲面の上に配置することもできる。各単位光学ブロック１５は、中空で、第１〜第４の鏡面１１〜１４が単に鏡からなっていてもよいし、塊状の単位光学ブロック１５の素材を透明ガラス、透明プラスチック（例えば、アクリル、ポリカーボネイト、ナイロン、ポリプロピレン、シクロオレフィン系樹脂等）とし、第１〜第４の鏡面１１〜１４を金属蒸着によって形成してもよい。
【００１６】
単位光学ブロック１５の縦幅（即ち、第３、第４の鏡面１３、１４の間隔）Ｌは、第１、第２の鏡面１１、１２の幅Ｗ１、Ｗ２を合計した長さの例えば０．５〜３倍（１〜２倍がより好ましい）とするのが好ましい。単位光学ブロック１５の縦幅Ｌが長過ぎると、３回反射が起こらず反射光が散乱し易い。また、単位光学ブロック１５の縦幅Ｌが短いと、第３、第４の鏡面１３、１４で多重反射が起こり、反射光の散乱を招く。また、単位光学ブロック１５の高さＨ（第１、第２の鏡面１１、１２の山部から天井面２０ａまでの垂直距離）は、例えば（０．７０７〜３）×Ｗ１の範囲で設定するのが好ましい（以下の実施例においても同じ）。
【００１７】
この再帰性反射体１０の動作に関して、図１（Ａ）、（Ｂ）に示す一つの単位光学ブロック１５について説明すると、矢視する入射光Ａは、第１、第２の鏡面１１、１２の点Ｂ、Ｃで反射し、第４の鏡面１４の点Ｄで反射して、入射光Ａと同じ方向に反射（反射光Ｅ）する。なお、単位光学ブロック１５の寸法（サイズ）を大きくすると、入射光と反射光の位置がずれて元位置には光が帰らない。そこで、個々の単位光学ブロック１５の寸法を小さくして（例えば、Ｌ＝０．５〜３ｍｍとして）、多数の単位光学ブロック１５を並べて配置するのがよい。
【００１８】
続いて、図２（Ａ）〜（Ｃ）を参照しながら、本発明の第２の実施例に係る再帰性反射体１８について説明する。なお、第１の実施例に係る再帰性反射体１０と同一の構成要素については、同一の番号を付して詳しい説明を省略する。第２の実施例に係る再帰性反射体１８は、単位光学ブロック１５（図２（Ａ）にその一つを二点鎖線で示す）を横方向に複数連結して一体化した長尺かつ直線状の光学ブロック体１９を平行に並べて形成されている。従って、光学ブロック体１９の底部には、直角に配置された第１、第２の鏡面１１、１２が連続して三角波状に形成され、側面には第１、第２の鏡面１１、１２と、直交する第３、第４の鏡面１３、１４が形成されている。第３、第４の鏡面１３、１４は平行となって、長尺の光学ブロック体１９の両側面に形成されている。また、各単位光学ブロック１５は天井面２０ａ（図１参照）の向きを揃えて、各単位光学ブロック１５は平面状に並べて配置されている（以下の実施例においても同じ）。
【００１９】
光学ブロック体１９の基材の材質は透明度の高いガラス又は透明樹脂により構成される。基材の製造にあっては、ガラス又は透明樹脂からなる平板をプレス成形、ローラ成形によって、又は透明樹脂を射出成形して平板状の原板材を製造する。この原板材は一面が平面状となって、他面は最終的には第１、第２の鏡面１１、１２を波状に形成する凹凸面となっている。この原板材を所定寸法（Ｌ）で切断し、切断端面は必要に応じて研磨して基材を製造する。この基材の一面（天井面２０）を剥離可能な蒸着防止シートで覆い、金属蒸着を行い、第１〜第４の鏡面１１〜１４を形成する。この後、蒸着防止シートを剥がして、必要な場合は洗浄を行い、長尺の光学ブロック体１９を製造する。
【００２０】
再帰性反射体１８を構成する場合は、前述のように、同一形状の光学ブロック体１９を平行に並べて形成するが、光学ブロック体１９を並べて配置する際には、隣り合う光学ブロック体１９の底部に形成されている谷部２１と山部２２とをそれぞれ一致させる場合と、隣り合う光学ブロック体１９の谷部２１、及び山部２２同士を一致させない場合（即ち、谷部２１と山部２２をずらす場合）とがある。再帰性反射体１８は、この長尺の光学ブロック体１９を当接して、又は近接して並列に並べて使用する。従って、安価に再帰性反射体１８を製造することができる。
【００２１】
なお、第１、第２の実施例に係る再帰性反射体１０、１８において、底部には凹凸が形成されているが、第１、第２の鏡面１１、１２が形成された連続する谷部２１に透明又は不透明の樹脂２４を充填し、底部を平面とすることもできる。図３（Ａ）、（Ｂ）には、底部に形成された谷部２１に樹脂２４が充填され、更に天井面２０及び底面２５が平面状に加工された再帰性反射体２６を示す。これによって、再帰性反射体２６の第１、第２の鏡面１１、１２が欠けたり、疵が付くことが無くなる。
【００２２】
続いて、図４（Ａ）、（Ｂ）に示すように本発明の第３の実施例に係る再帰性反射体２８について説明する。再帰性反射体２８を構成する長尺の光学ブロック体２９が傾斜状態（傾斜角θ）で並べて配置されている。このような、再帰性反射体２８は、光学ブロック体２９を傾斜台３０に載せて固定することによって形成される。この場合、隣り合う光学ブロック体２９は側面が当接する必要はない。これによって、よりキュービックコーナー体（３面コーナーキューブ）に近くなる。また、プレス又はインジェクション成形によって、隣り合う載置台３０は連続して形成することもできる。光学ブロック体２９の天井面（上面）３２は透明となって入光面及び出光面を形成する。
【００２３】
次に、図５（Ａ）〜（Ｃ）を参照しながら、以上の再帰性反射体２６（１０、１８においても同様）を使用した本発明の一実施例に係る立体像表示装置３４について説明する。
平面状の再帰性反射体２６の上部に平面状のハーフミラー３５を立設する。再帰性反射体２６はこの実施例では矩形（横幅ｇ、奥行きｆ）となって、ハーフミラー３５の幅は再帰性反射体２６の奥行きｆと同一程度となって、高さは例えば、再帰性反射体２６の横幅ｇの０．５〜１倍程度となっている。
【００２４】
図５（Ｂ）に示すように、再帰性反射体２６を構成する長尺の各光学ブロック体１９が奥行き方向（即ち、図５において紙面に直交する方向）に向いて、第３、第４のミラー１３、１４が横方向に並んで配置されている。ここで、図５（Ｃ）に示すように、各光学ブロック体１９が横方向に向いて、第３、第４のミラー１３、１４が奥行き方向に向いてもよい。
また、再帰性反射体２６を構成し、平行に並べて配置された光学ブロック体１９の向きを、平面視して、ハーフミラー３５に対して斜めに配置してもよい。
【００２５】
立体像表示装置３４の動作について説明すると、自ら光又は反射光を発する対象物Ｐを立体像表示装置３４に対して特定場所に配置すると、対象物Ｐからの光線はハーフミラー３５を通過し、再帰性反射体２６に斜め方向から天井面２０を通って光学ブロック体１９に入光する。光学ブロック体１９に入光した光線は、それぞれ直角に配置された第１、第２の鏡面１１、１２と第３又は第４の鏡面１３、１４で反射して、天井面２０から反射光として出光する。この経路は、光学ブロック体１９に入光した光の経路と略同一である。天井面２０からの反射光は、ハーフミラー３５で反射して、実像Ｑを形成する。
【００２６】
なお、ハーフミラー３５を通過した後、天井面２０から入光しても、それぞれ直角となった鏡面に３回反射しなかった光は、仮にハーフミラー３５では反射したとしても、結像に寄与しないので、散乱光となる。
また、平面視して直線状のハーフミラー３５に対する各光学ブロック体１９の向きは、結像する実像Ｑが最大輝度になるように、予め実験して決めるのがよい。また、ハーフミラー３５の立設角度が変わると、結像位置や明るさも変わるので、最適な角度に調整するのが好ましい。
更に、光学ブロック体１９の各単位光学ブロック１５の寸法が再生される画像の解像度を決定するので、より数が多く、細かい方が鮮明な実像が得られる。
【００２７】
本発明は前記した実施例に限定されるものではなく、本発明の要旨を変更しない範囲でその構成を変更することもできる。
更に、第１〜第３の実施例に係る再帰性反射体の一部の構成要素を選んで、別形状の再帰性反射体を形成する場合も、本発明は適用される。
【産業上の利用可能性】
【００２８】
本発明に係る再帰性反射体は構造が簡単であるので、従来の３面コーナーキューブに比較して安価に製造できる。また、用途に応じて第１〜第４の鏡面のサイズを決定すれば、任意の大きさのピクセルを有する立体像表示装置を形成できる。
【符号の説明】
【００２９】
１０：再帰性反射体、１１：第１の鏡面、１２：第２の鏡面、１３：第３の鏡面、１４：第４の鏡面、１５：単位光学ブロック、１８：再帰性反射体、１９：光学ブロック体、２０、２０ａ：天井面、２１：谷部、２２：山部、２４：樹脂、２５：底面、２６：再帰性反射体、２８：再帰性反射体、２９：光学ブロック体、３０：傾斜台、３２：天井面、３４：立体像表示装置、３５：ハーフミラー
【国際調査報告】
2015181994.tif 000008
2015181994.tif 000009